(57)【要約】【課題】微調整用のダイヤル状操作部材を操作し易い大口径に形成した魚釣用リ−ルを提供すること。【解決手段】右側側板２の外側に設けた粗調整用のレバ−状操作部材７の側部には微調整用のダイヤル状操作部材８に取り付けられたカバ−９が添設されてカバ−９は右側側板２のネジ穴２ｆに螺合されたビスからなる締結部材３３で固定され、微調整用のダイヤル状操作部材８はカバ−９の外径より大径に形成されると共に微調整用のダイヤル状操作部材８の左側面にカバ−９の外径が嵌まる凹部８ａが形成され、中心に左側に突出する軸部８ｂと角形の突出部８ｃが形成されて軸部８ｂの外周に周溝８ｄが形成され、微調整用のダイヤル状操作部材８の外周に近いビスからなる締結部材３３の位置に対応する位置には複数の貫通孔８ｅが穿設されている。【選択図】        図３
2004166608.tif 000002
【特許請求の範囲】
【請求項１】
リ−ル本体の側板間に設けたスプ−ルシャフトに軸受を介してスプ−ルを回転自在に支持すると共に前記リ−ル本体の一側に設けた制動装置を構成する粗調整用のレバ−状操作部材と微調整用のダイヤル状操作部材の回動操作で、前記スプ−ルと一体回転する環状の制動体を前記スプ−ルシャフト上に設けた制動環体で圧接して制動力を調節可能とした魚釣用リ−ルにおいて、前記レバ−状操作部材の側部に添設固定されるカバ−の外側を覆うように前記ダイヤル状操作部材を形成したことを特徴とする魚釣用リ−ル。
【請求項２】
前記ダイヤル状操作部材に貫通孔を形成し、該貫通孔を通して前記カバ−をリ−ル本体に締結部材で着脱可能としたことを特徴とする請求項１記載の魚釣用リ−ル。
【発明の詳細な説明】
【０００１】
【発明の属する技術分野】
本発明は、リ−ル本体の側板間に回転自在に支持したスプ−ルをリ−ル本体の一側に設けた操作部材による軸方向変位操作で、スプ−ルと一体回転する環状の制動体とスプ−ルシャフト上に設けた制動環体との間に生じる制動力を調節する制動装置を備えた魚釣用リ−ルの改良に関する。
【０００２】
【従来の技術】
スプ−ルをリ−ル本体の一側に設けた操作部材による軸方向変位操作で、スプ−ルと一体回転する環状の制動体とスプ−ルシャフト上に設けた制動環体との間に生じる制動力を調節する制動装置の制動力の調節は、リ−ル本体の一側に設けたレバ−状操作部材で釣場の状況（魚のファイティング状態、使用系等）に応じた通常のスプ−ル制動力強弱調節操作を行い、又、制動力の設定範囲の変更や僅かな制動力の調節が必要な場合は、ダイヤル状のツマミで調節が行えるようになっている。（例えば、特許文献１参照）
【０００３】
【特許文献１】特公昭４９−１６３１９号公報（第１図）
【０００４】
【発明が解決しようとする課題】
解決しようとする問題点は、
前記特許文献１には、リ−ル本体の一側に前後方向に向けてレバ−形状のドラグ力操作レバ−（通常操作として行うドラグ力の粗調整）と該レバ−の抜け止め板の側部に微調整用のダイヤルツマミが回動可能に設けられている。
しかしながら、微調整用のダイヤルツマミがドラグ力操作レバ−の抜け止め板の径方向内側に配設される小径のダイヤルツマミであるために、手の指で摘んで回動操作する場合に操作性が悪く、手の指が痛くなると共に高負荷の回動調節操作が容易に出来ない。
又、ダイヤルツマミを大型化しようとすると、ドラグ力操作レバ−の抜け止め板の止めネジが邪魔になる等の制約が生じてしまう。
ことである。
【０００５】
本発明の目的は前記欠点に鑑み、微調整用のダイヤル状操作部材を操作し易い大口径に形成した魚釣用リ−ルを提供することである。
【０００６】
【課題を解決するための手段】
上記課題を解決するために、
請求項１に係わる本発明は、リ−ル本体の側板間に設けたスプ−ルシャフトに軸受を介してスプ−ルを回転自在に支持すると共に前記リ−ル本体の一側に設けた制動装置を構成する粗調整用のレバ−状操作部材と微調整用のダイヤル状操作部材の回動操作で、前記スプ−ルと一体回転する環状の制動体を前記スプ−ルシャフト上に設けた制動環体で圧接して制動力を調節可能とした魚釣用リ−ルにおいて、前記レバ−状操作部材の側部に添設固定されるカバ−の外側を覆うように前記ダイヤル状操作部材を形成したことを要旨とするものである。
請求項２に係わる本発明は、前記ダイヤル状操作部材に貫通孔を形成し、該貫通孔を通して前記カバ−をリ−ル本体に締結部材で着脱可能としたことを要旨とするものである。
【０００７】
【発明の実施の形態】
請求項１の本発明により、粗調整用のレバ−状操作部材７の側部に取り付けられたカバ−９の外側を覆うように微調整用のダイヤル状操作部材８を大口径に形成したので、手の指で摘んでの回動操作が快適に行えると共に高負荷の回動調節操作も容易に行える。
請求項２の本発明により、微調整用のダイヤル状操作部材８を大口径化を図りながら、カバ−９の取り付けに際してはリ−ル本体Ａ（右側側板２）への着脱を貫通孔８ｅを通してビスからなる締結部材３３にて容易に行える。
【０００８】
【実施例】
以下、図示の実施例によって本発明を説明すると、魚釣用リ−ルとして魚釣用両軸受型リ−ルが図示され図１から図７は第１実施例で、図１は魚釣用リ−ルの断面背面図、図２は反ハンドル側の要部拡大断面背面図、図３はハンドル側の要部拡大断面背面図、図４はハンドル側の要部分解拡大断面背面図、図５は軸受ケ−スの斜視図、図６はハンドル側の側面図、図７はハンドル側の微調整用のダイヤル状操作部材を２点鎖線で示した側面図である。
【０００９】
魚釣用リ−ルは、リ−ル本体Ａが筒状の枠体１０と枠体１０の左右に複数のビス１１で取り付けられた左側側板１と右側側板２で構成されている。
枠体１０の下側にリ−ル脚１２が固定されている。
左側側板１内に取り付けられた軸受１３と右側側板２内に取り付けられた軸受１４でスプ−ルシャフト３は回転自在に支持されている。
枠体１０内の左側側板１と右側側板２間のスプ−ルシャフト３にスプ−ル１５が軸受１６、１７を介して回転可能に支持され、スプ−ルシャフト３外周の軸受１６、１７間にはカラ−１８が嵌合されている。
軸受１６、１７の外側のスプ−ルシャフト３にピンからなる係止突部１９、２０が直交するように固定されている。
【００１０】
左側の係止突部１９の外側でスプ−ルシャフト３の外周には移動側制動環体２１の中心透孔２１ａが嵌合され、中心の軸方向の係止溝２１ｂに係止突部１９が係止されている。
移動側制動環体２１の左側の縦面にはライニング材２２が貼着されている。
スプ−ルシャフト３の左端外周には回り止め部３ａが形成されて固定側制動環体２３の中心透孔２３ａが軸方向に移動自在に回り止め嵌合されている。
移動側制動環体２１と固定側制動環体２３の間には発条２４が設けられている。
固定側制動環体２３右側の縦面にはライニング材２５が貼着されている。
固定側制動環体２３の左側には筒部２３ｂが突出形成されている。
ライニング材２２とライニング材２５の間にはスプ−ル１５の左側フランジ部１５ａにビス２６で固定されたスプ−ル１５と一体回転する環状の制動体２７が配置されている。
【００１１】
右側の係止突部２０の外側でスプ−ルシャフト３の外周には大径の低速ピニオンギア２８の中心透孔２８ａが軸方向に移動自在に嵌合され、中心の軸方向の係止溝２８ｂに係止突部２０が係止されている。
ピニオンギア２８の歯部の内側に凹部が形成されてスプ−ルシャフト３の外周に嵌合された複数の板バネ２９が収容されている。
板バネ２９が嵌合された位置より右側のスプ−ルシャフト３外周に小径の高速ピニオンギア３ｂが形成されている。
低速ピニオンギア２８と高速ピニオンギア３ｂには夫々ハンドル軸に設けられた高速ギア３０と低速ギア３１が噛合されている。
スプ−ルシャフト３の右端の小径外周は軸受１４に軸承されている。
【００１２】
図１、図３、図４の右側側板２の左側には凹部２ａと、凹部２ａ内周に軸方向の溝２ｂと、縦壁２ｃと中心透孔２ｄが形成され、右側面に筒部２ｅが形成されている。
右側側板２の右側面で図６、図７の中心左右と下側にネジ穴２ｆが穿設されている。
凹部２ａの中には微調整作動体４と軸受ケ−ス５と粗調整カム筒６が収容されている。
【００１３】
微調整作動体４は鍔部４ａと筒部４ｂでＴ字形に形成されると共に、鍔部４ａの左側面に軸受１４の外輪に当接される凸部４ｃと筒部４ｂの外周の雄ネジ部４ｄと筒部４ｂの内側の角穴４ｅで形成されている。
軸受ケ−ス５は大径の筒部５ａと小径の筒部５ｂで形成されると共に、大径の筒部５ａの内側に凹部５ｃが形成されると共に左側の外周は肉厚５ｄに形成されて肉厚５ｄの右側に中心軸線と直交する透孔５ｅ、５ｅが形成され、小径の筒部５ｂの内側に雌ネジ部５ｆが形成されて透孔５ｅ、５ｅにはピン３２、３２が挿入されている。
凹部５ｃ内には軸受１４と微調整作動体４が収容され、雄ネジ部４ｄは雌ネジ部５ｆに螺合されている。
軸受ケ−ス５が右側側板２の凹部２ａに収容された時は、ピン３２、３２は軸方向の溝２ｂに挿入される。
【００１４】
粗調整カム筒６は大径の筒部６ａと小径の筒部６ｂで形成されると共に、大径の筒部６ａの内側に凹部６ｃが形成されると共に大径の筒部６ａの左側面はカム面６ｄに形成されてピン３２、３２が当接され、小径の筒部６ｂの右端面には図７のように縦方向の切り溝６ｅが形成されている。
凹部６ｃと小径の筒部６ｂの内側には軸受ケ−ス５が収容される。
小径の筒部６ｂの外周は右側側板２の中心透孔２ｄに挿入されて切り溝６ｅは縦壁２ｃの外側に突出される。
【００１５】
右側側板２の縦壁２ｃの外側に突出した小径の筒部６ｂの外周には粗調整用のレバ−状操作部材７の基部７ａの透孔７ｂが嵌合されると共に透孔７ｂ内に突出した凸片７ｃ、７ｃが図７のように縦方向の切り溝６ｅに回り止め挿入されている。
粗調整用のレバ−状操作部材７の側部には微調整用のダイヤル状操作部材８に取り付けられたカバ−９が添設されてカバ−９は右側側板２のネジ穴２ｆに螺合されたビスからなる締結部材３３で固定され、カバ−９で粗調整用のレバ−状操作部材７が右側側板２に抜け止めされている。
【００１６】
微調整用のダイヤル状操作部材８はカバ−９の外径より大径に形成されると共に微調整用のダイヤル状操作部材８の左側面にカバ−９の外径が嵌まる凹部８ａが形成され、中心に左側に突出する軸部８ｂと角形の突出部８ｃが形成されて軸部８ｂの外周に周溝８ｄが形成されている。
微調整用のダイヤル状操作部材８の外周に近いビスからなる締結部材３３の位置に対応する位置には複数の貫通孔８ｅが穿設されている。
左側面の貫通孔８ｅより中心側に穴８ｆが穿設されて発条３４とクリックピン３５が挿入されて抜け止め板３６で抜け止めされている。
又、ダイヤル状操作部材８の外周には、複数の凹部８ｆが形成され、回動操作を容易に行えるようになっている。
【００１７】
カバ−９の中心透孔９ａは軸部８ｂの外周に嵌合されて周溝８ｄに嵌めたＥリング３７で抜け止めされている。
カバ−９にはビスからなる締結部材３３が挿入される複数の透孔９ｂが穿設されている。
カバ−９のクリックピン３５に対応する位置には複数の透孔９ｃが穿設されている。
【００１８】
前記右側側板２の凹部２ａ内に粗調整カム筒６が収容される時は、縦壁２ｃとの間にライニング材３８が介在され、縦壁２ｃと粗調整用のレバ−状操作部材７の基部７ａとカバ−９の間にもライニング材３９、４０が介在される。
【００１９】
魚釣用リ−ルの制動装置の動作は、粗調整用のレバ−状操作部材７が回動されると、粗調整カム筒６が回動されてカム面６ｄでピン３２、３２が押され、軸受ケ−ス５と軸受１３と微調整作動体４とスプ−ルシャフト３が軸方向に移動される。
この移動で複数の板バネ２９と大径の低速ピニオンギア２８を介して軸受１７とカラ−１８と軸受１６と移動側制動環体２１が左側板１側へ移動されると共にスプ−ル１５が移動される。
移動側制動環体２１とスプ−ル１５が移動されると、移動側制動環体２１に貼着されたライニング材２２とスプ−ル１５に固定されたスプ−ル１５と一体回転する環状の制動体２７と固定側制動環体２３に貼着されたライニング材２５の夫々の間隔が狭まり当接されて制動力が調節される。
【００２０】
微調整用のダイヤル状操作部材８が回動されると、微調整作動体４が回動されて軸受１４とスプ−ルシャフト３が軸方向に移動される。
この移動で複数の板バネ２９と大径の低速ピニオンギア２８を介して軸受１７とカラ−１８と軸受１６と移動側制動環体２１が移動されると共にスプ−ル１５が移動される。
移動側制動環体２１とスプ−ル１５が移動されると、移動側制動環体２１に貼着されたライニング材２２とスプ−ル１５に固定されたスプ−ル１５と一体回転する環状の制動体２７と固定側制動環体２３に貼着されたライニング材２５の夫々の間隔が狭まり当接されて制動力が調節される。
【００２１】
前記のように魚釣用リ−ルが構成されると、粗調整用のレバ−状操作部材７の側部に取り付けられたカバ−９の外側を覆うように微調整用のダイヤル状操作部材８を大口径に形成したので、手の指で摘んでの回動操作が快適に行えると共に高負荷の回動調節操作も容易に行える。
又、微調整用のダイヤル状操作部材８を大口径化を図りながら、カバ−９の取り付けに際してはリ−ル本体Ａ（右側側板２）への着脱を貫通孔８ｅを通してビスからなる締結部材３３にて容易に行える。
【００２２】
図８は第２実施例で、魚釣用リ−ルのハンドル側の要部拡大断面背面図である。
【００２３】
第２実施例では、カバ−９′が有底筒状に形成されている。
カバ−９′の筒部９ｄは右側側板２の右側面の筒部２ｅ外周に嵌合されてビスからなる締結部材４１で固定されている。
カバ−９′の筒部９ｄには周方向に粗調整用のレバ−状操作部材７の回動範囲の長さの長孔９ｅが穿設されている。
他の構成は前記第１実施例と略同一である。
【００２４】
【発明の効果】
本発明は、以上説明したような形態で実施され、以下に記載されるような効果を奏する。
【００２５】
請求項１により、粗調整用のレバ−状操作部材の側部に取り付けられたカバ−の外側を覆うように微調整用のダイヤル状操作部材を大口径に形成したので、手の指で摘んでの回動操作が快適に行えると共に高負荷の回動調節操作も容易に行える。
請求項２により、微調整用のダイヤル状操作部材を大口径化を図りながら、カバ−の取り付けに際してはリ−ル本体（右側側板）への着脱を貫通孔を通してビスからなる締結部材にて容易に行える。
【図面の簡単な説明】
【図１】第１実施例で、魚釣用リ−ルの断面背面図である。
【図２】同反ハンドル側の要部拡大断面背面図である。
【図３】同ハンドル側の要部拡大断面背面図である。
【図４】同ハンドル側の要部分解拡大断面背面図である。
【図５】同軸受ケ−スの斜視図である。
【図６】同ハンドル側の側面図である。
【図７】同ハンドル側の微調整用のダイヤル状操作部材を２点鎖線で示した側面図である。
【図８】第２実施例で、魚釣用リ−ルのハンドル側の要部拡大断面背面図である。
【符号の説明】
Ａ  リ−ル本体
１、２  側板
３  スプ−ルシャフト
７  粗調整用のレバ−状操作部材
８  微調整用のダイヤル状操作部材
８ｅ  貫通孔
９、９′  カバ−
１５  スプ−ル
２１  スプ−ルシャフト上に設けた移動側制動環体
２７  スプ−ルと一体回転する環状の制動体
３３、４１  締結部材
【図１】
2004166608.tif 000003
【図２】
2004166608.tif 000004
【図３】
2004166608.tif 000005
【図４】
2004166608.tif 000006
【図５】
2004166608.tif 000007
【図６】
2004166608.tif 000008
【図７】
2004166608.tif 000009
【図８】
2004166608.tif 000010